(57)【特許請求の範囲】
【請求項１】
液透過性のトップシートと、液不透過性のバックシートと、これら両シートとの間に配置された吸収体からなる使いすておむつにおいて、
前記液透過性トップシートと前記吸収体は接着剤により固定されており、かつ、前記接着剤は、交差することなく、吸収体の長手方向に、吸収体の長さの６０％以上の長さで、曲線状に複数本塗布されており、その１本の曲線の巾は、３〜３０ｍｍであり、隣接した曲線の間隔が２〜３０ｍｍであり、さらに、吸収体の面積より広く塗布されていて、該吸収体の存在しない部分においてトップシートとバックシートとを接着していることを特徴とする使いすておむつ。
【請求項２】
前記吸収体は薄葉紙によって包まれており、前記薄葉紙と前記吸収体および／または前記トップシートと前記薄葉紙は、前記接着剤により接着固定されていることを特徴とする請求項１記載の使いすておむつ。
【発明の詳細な説明】
【０００１】
【発明の属する技術分野】
本発明は、乳幼児又は失禁者用おむつとして供される使いすておむつであって、更に詳しくは吸収性能を損なわずに吸収体の型くずれを防止することの可能な使いすておむつに関するものである。
【０００２】
【従来の技術】
従来、使いすておむつの吸収体の型くずれを防止するためにさまざまな方法が提案されている。例えば、特開昭６１-１１９２６０号公報のように、網状網目のホットメルト接着剤によって、吸収性芯と薄層を対向関係において接着固着することによって吸収体を固定することが提案されている。しかし、この方法の場合、吸収体を固定するには、大量の接着剤の塗布が必要になり、吸収性能に悪い影響を及ぼすこととなる。また、ホットメルト接着剤が交差する部分は、接着剤の塗布量が増え、薄層からホットメルトがしみだして肌に直接接触することになるため、かぶれを引き起こす原因となる。
また、吸収体のフラッフパルプ中に熱融着繊維を混合、熱圧着することにより、吸収体自体を固めて型くずれを防ぐ方法が提案されている。この方法の場合、吸収体の型くずれに対しては効果があるが、吸収体が固められているため、高分子吸収剤が膨潤するのを阻害され、吸収量が減少し、漏れが発生しやすくなる。
【０００３】
【発明が解決しようとする課題】
本発明の目的は、上記従来の使いすておむつの有する問題点を克服し、吸収性能を損なわずに吸収体の型くずれを防止することができる使いすておむつを提供することにある。
【０００４】
【課題を解決するための手段】
上記課題を解決するための本発明は、以下の各発明を包含する。
（１）液透過性のトップシートと、液不透過性のバックシートと、これら両シートとの間に配置された吸収体からなる使いすておむつにおいて、前記液透過性トップシートと前記吸収体は接着剤により固定されており、かつ、前記接着剤は、交差することなく、吸収体の長手方向に、吸収体の長さの６０％以上の長さで、曲線状に複数本塗布されており、その１本の曲線の巾は、３〜３０ｍｍであり、隣接した曲線の間隔は２〜３０ｍｍであり、さらに、吸収体の面積より広く塗布されていて、該吸収体の存在しない部分においてトップシートとバックシートとを接着していることを特徴とする使いすておむつ。
【０００５】
（２）前記吸収体は薄葉紙によって包まれており、前記薄葉紙と前記吸収体および／または前記トップシートと前記薄葉紙は、前記接着剤により接着固定されていることを特徴とする前項（１）記載の使いすておむつ。
【０００６】
【発明の実施の形態】
本発明の使いすておむつは、液透過性トップシートと吸収体、あるいは薄葉紙と吸収体が接着剤によって接着固定されており、かつ、前記接着剤は、交差することなく、曲線状に複数本塗布されている。このような構成を有する本発明の使いすておむつは、吸収性能を損なわずに吸収体の型くずれを防止することが可能となる。
【０００７】
本発明において使用されるトップシートはポリエステル、ポリプロピレン、ポリエステル、その他の熱可塑性樹脂等を原料とした合成繊維からなる液透過性の不織布、織布が用いられる。また、天然繊維でもよく、さらに合成繊維と天然繊維との組み合わせ等、広い範囲の材料から製造することができる。いずれにしても、トップシートは、直接肌に接触する部分であるため、柔らかく、肌触りのよいものであれば良く、通気性であれば良い。トップシートの中央領域は、吸収体上に配置されるため、速やかに液を透過させることができるように、親水性繊維であることが好ましく、また、縦方向両端領域は、吸収体に吸収された液が、外側にしみ出さないように撥水性であることが好ましい。
また、トップシートは、単一のシートで構成される必要はなく、中央部トップシートや側部トップシートといった複数枚のシートで構成されても良い。また、複数枚のシートでトップシートを構成する際、各シートは別の素材を使っても良いが、同一の素材でも良い。
【０００８】
本発明において使用されるバックシートは、ポリエチレン等の液不透過性フィルム、液不透過性フィルムに不織布または織布を貼り合わせてある素材、また、防漏性のある不織布、織布等からなり、特に制限はなく、吸収体中の水分がおむつ外側にしみ出さないものであれば良い。また、布状外観を与えるために模様状にエンボス処理されたり、さらに艶消し仕上げされていても構わない。また、フィルムを使用する場合は、液不透過性でありながら、水蒸気だけを透過させる公知の透湿性フィルムを使用しても良く、ムレを防止することから好ましい。また、着用者にフィットするように伸縮性のある素材であっても良く、ポリウレタン系フィルム、天然ゴムシート、発砲シート等の使用が可能であり、さらに、伸縮性不織布などを貼りあわせた素材でも良い。
【０００９】
本発明において使用される吸収体は、綿状パルプ、高吸水性高分子物質、親水性シート等によって形成され、吸水性の性質をもっていれば特に制限を受けるものではない。
本発明において使用される吸収体は、従来の使いすておむつその他の吸収性物品に通常使用される公知の吸収性材料から作られている。すなわち、綿状パルプ、レーヨン等の吸収性繊維からなる単層もしくは多層のマットから形成され、さらに親水性シートによってくるまれており、そして、高吸水性高分子物質が各マット中に均一に混合もしくは各マット間に層状に配置されている。また、高吸水性高分子物質を均一に混合された吸収体は、綿状パルプに対して３〜６０重量％の熱融着性物質を混合した後、熱圧着してもよいし、もしくは高吸水性高分子物質のみが親水性シートによりくるまれているものであっても良い。
【００１０】
綿状パルプとしては、化学パルプシート、古紙パルプシート、機械パルプシートを粉砕機で解繊することにより得られる繊維長５ｍｍ以下のものが用いられる。パルプ原料としては、針葉樹に限らず、広葉樹、わら、竹及びケナフも適用される。このパルプの使用量は、目的とする吸収体により、例えば、単独に用いるか、複数積層して用いるか、他の吸収材を併用するかなどにより異なるが、一般には、５０〜４００ｇ／ｍ2である。
【００１１】
高吸水性高分子物質としては、デンプン系、セルロース系、合成ポリマー系のものが使用される。すなわち、デンプン−アクリル酸（塩）グラフト重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、デンプン−アクリロニトリル−２−アクリルアミド−２−メチルプロパンスルホン酸グラフト共重合体のケン化物、アクリル酸（塩）重合体、アクリル酸で架橋されたポリエチレンオキシド、ナトリウムカルボキシメチルセルロースの架橋物、ポリビニルアルコール−無水マレイン酸反応物架橋物などである。
【００１２】
これらの中で自重の２０倍以上の尿、体液及び水を吸収するもので、ポリアクリル酸ナトリウム系のものが吸収性能の点から最も適当である。高吸水性高分子物質の分布量は、乾燥した綿状パルプ１００重量部に対して１０〜５００重量部、好ましくは１５〜３００重量部であり、かかる量の高吸水性高分子物質が綿状パルプに実質的に均一に分布していると、高吸水性高分子物質が吸水して膨潤したとき、その粒子は相互の干渉が最小にとどめられ、連続的に接触して透過障壁を形成することが少なく、尿や体液を３次元方向に良好に透過吸水する。
【００１３】
薄葉紙は、一般にティシュと呼ばれている薄い紙であり、吸収体を包みこむのに使用されている。このため、湿潤時や着用者の激しい動きによって、薄葉紙が破れて、吸収体中のフラッフパルプや高吸水性高分子が外に出ないように、十分な強度を必要とするが、一般にその坪量は１０〜４０ｇ／ｍ2 であることが好ましい。
【００１４】
また、前記吸収体の形状は、砂時計型、矩型、Ｔ字型等特に制限はなく、股下にフィットする形状であれば良い。一般的に着用感を向上させるために、砂時計型やＴ字型等股下部を狭くした形状であることが特に好ましい。
【００１５】
伸縮弾性部材は、脚周り開口部、ウエスト周り開口部等に伸張状態で配置され、ホットメルト接着剤により接着固定されている。伸縮弾性部材は、ウレタンフィルム、ウレタン糸、ウレタンフォーム、糸ゴム等が使用される。
【００１６】
以下、図面により本発明の使いすておむつを詳細に説明する。
また、図中、符号１は液透過性トップシート、２はバックシート、３は吸収体、４は接着剤、５は薄葉紙、６はテープファスナーを示している。
【００１７】
図１は、本発明の使いすておむつの斜視図である。
図１に示すように、本発明の使いすておむつは、液透過性のトップシート１と、液不透過性のバックシート２と、これら両シートの間に配置された吸収体３からなる。また、背側の吸収体３の横方向両側縁にはファスナーテープ６が取り付けられ、着用時に使用するようになっている。なお、本発明の使いすておむつは、特にテープ型おむつに限定されるわけではなく、前身頃と後身頃の相対する両側縁部が接着閉鎖されたパンツ型おむつであっても良い。
【００１８】
図２は、本発明の使いすておむつにおける接着剤の塗布形状を示している。
図２において、接着剤４は曲線状に複数本塗布されており、かつ、互いに交差しないように間隔をあけて塗布されている。
接着剤４としては、ホットメルト接着剤が有用に使用されるが、特に限定されるものではない。また、接着剤の塗布方法は、スプレー法、カーテン法、ビード法等があるが、１本の独立した多数の曲線は、接着剤の出口の左右にエアーの出口が配置されたコーターヘッドを使用し、接着剤の塗布位置を左右のエアーで調節することで、容易に塗布する事が出来き、例えば、ノードソン株式会社製  ＤＵＲＡ  ＷＥＡＶＥ等を使用することができる。
ホットメルト接着剤としては、スチレン―ブタジエン―スチレン系共重合体や、スチレン―イソプレン―スチレン系共重合体といった合成ゴム系、あるいはプロピレン−ブテン共重合体のようなオレフィン系を用いることができるが特に限定はされない。
【００１９】
接着剤４の塗布面積は、吸収体３の面積より広い方が好ましい。これにより、吸収体３の部分では吸収体３とトップシート１が接着され、吸収体３の存在しない部分ではトップシート１とバックシート２が接着され吸収体３をしっかり押さえることができるため、着用者の激しい動きにも、吸収体３が動かなくなるため、型くずれがしにくくなる。
【００２０】
曲線状の接着剤４の吸収体３の長手方向における長さは、吸収体３の長さの３０％以上、好ましくは６０％以上であり、連続していても良いが、不連続であってもよい。
接着剤４の１本の曲線の巾は、３ｍｍ〜３０ｍｍであり、また、隣接した曲線との間隔は２ｍｍ〜３０ｍｍであることが好ましく、１本の曲線の巾以下であることがより好ましい。
このように、接着剤４の塗布形状を曲線とすることで、少量の接着剤量で接着固定部を形成し、かつ、多数の曲線の集合体とすることによって、着用者の前後、左右の激しい動きに耐えることができる。
また、接着剤は、湿潤時や着用者の激しい動きによっても剥がれないように塗布する必要があるが、その塗布量は１〜８ｇ／ｍ2 であることが好ましい。
【００２１】
図３は、図１に示すテープ型使いすておむつをＸ−Ｘ’線に沿って切断した状態を示す断面図である。
図３に示すように、吸収体３は薄葉紙５で包まれており、薄葉紙５とトップシート１が接着剤４により接着固定されている。
【００２２】
図４は、図３とは異なる例を示す、図１に示す使いすておむつをＸ−Ｘ’線に沿って切断した状態を示す断面図である。図４において、吸収体３は薄葉紙５で包まれており、吸収体３と薄葉紙５が接着剤４により接着固定されている。
【００２３】
本発明の使いすておむつは、図３および図４に示すように、吸収体３が薄葉紙５で包まれ、トップシート１と薄葉紙５の間、あるいは、薄葉紙５と吸収体３の間が接着剤４により接着固定されていても良く、さらに、トップシート１と薄葉紙５の間、および薄葉紙５と吸収体３の間の両方が接着固定されていても良い。
【００２４】
【発明の効果】
本発明の使いすておむつは、トップシートと吸収体の間を、交差することなく、曲線状に多数塗布した接着剤により接着固定することにより、吸収性能を損なわずに吸収体の型くずれを防止することを可能としたものである。
【図面の簡単な説明】
【図１】本発明の使いすておむつの斜視図。
【図２】本発明の使いすておむつの接着剤の塗布状態を示す平面図。
【図３】図１で示した本発明の使いすておむつをＸ−Ｘ’線に沿って切断した状態を示す断面図。
【図４】図３とは異なる例を示す、図１に示す使いすておむつをＸ−Ｘ’線で切断した状態を示す断面図。
【符号の説明】
１.液透過性トップシート
２.液不透過性バックシート
３.吸収体
４.接着剤
５.薄葉紙
６.テープファスナー
【図１】
0003740916.tif 000002
【図２】
0003740916.tif 000003
【図３】
0003740916.tif 000004
【図４】
0003740916.tif 000005